【事件の表示】
　特許第３０５３０８５号「田植機の縦送り装置調節構造」の請求項１、２に係る特許に対する特許異議の申立てについて、次のとおり決定する。
【結　論】
　訂正を認める。
　特許第３０５３０８５号の請求項１、２に係る特許を維持する。
【理　由】
一、手続の経緯
　本件特許第３０５３０８５号の請求項１及び請求項２に係る発明は、平成５年６月８日に出願された特願平５−１３７０３９号の発明の一部を新たな特許出願に分割した特願平１０−２６６１７０号に係り、平成１２年４月７日に設定登録され、この特許に対し、特許異議申立人ヤンマー農機株式会社（以下、「申立人」という。）より特許異議の申立てがなされ、当審において取消理由を通知したところ、その指定期間内の平成１３年６月２６日に訂正請求がなされたものである。
　
二、訂正の適否についての判断
１．訂正の内容
　特許権者は、特許明細書を次のように訂正しようとするものである。
［訂正事項ａ］
　特許明細書の【特許請求の範囲】の
　「【請求項１】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部（１６），（１７）を備えると共に、ワイヤ（２９）のインナーワイヤ（２９ａ）の一端側を、前記苗取り量変更部（１６），（１７）に接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、前記植付機構（２）の苗取り量が少なくなると前記縦送り装置（１８）の苗送り量が小さくなり、且つ前記植付機構（２）の苗取り量が多くなると前記縦送り装置（１８）の苗送り量が大きくなるように、前記苗取り量変更部（１６），（１７）と縦送り装置（１８）とを連係してある田植機の縦送り装置調節構造。
　　【請求項２】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の付近において、前記苗のせ台（１）の苗のせ面とは反対側に、回動操作自在な支持軸（１６）を左右方向に配置し、前記支持軸（１６）から前記苗のせ台（１）側に延出された支持アーム（１７）に、前記支持部材（１４）を支持させて、前記支持軸（１６）を回動操作して前記支持部材（１４）の位置を上下方向に変更することにより、前記苗のせ台（１）の下部から前記植付機構（２）が取り出す苗取り量を変更可能に構成すると共に、前記支持軸（１６）から前記苗のせ台（１）とは反対側にアーム部（３０）を延出して、前記アーム部（３０）にワイヤ（２９）のインナーワイヤ（２９ａ）の一端側を接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、前記植付機構（２）の苗取り量が少なくなると前記縦送り装置（１８）の苗送り量が小さくなり、且つ前記植付機構（２）の苗取り量が多くなると前記縦送り装置（１８）の苗送り量が大きくなるように、前記支持軸（１６）と縦送り装置（１８）とを連係してある田植機の縦送り装置調節構造。」
の記載を、
　「【請求項１】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部（１６），（１７）を備えると共に、ワイヤ（２９）のインナーワイヤ（２９ａ）の一端側を、前記苗取り量変更部（１６），（１７）に接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
　　【請求項２】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の付近において、前記苗のせ台（１）の苗のせ面とは反対側に、回動操作自在な支持軸（１６）を左右方向に配置し、前記支持軸（１６）から前記苗のせ台（１）側に延出された支持アーム（１７）に、前記支持部材（１４）を支持させて、前記支持軸（１６）を回動操作して前記支持部材（１４）の位置を上下方向に変更することにより、前記苗のせ台（１）の下部から前記植付機構（２）が取り出す苗取り量を変更可能に構成すると共に、前記支持軸（１６）から前記苗のせ台（１）とは反対側にアーム部（３０）を延出して、前記アーム部（３０）にワイヤ（２９）のインナーワイヤ（２９ａ）の一端側を接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
と訂正する。
　
［訂正事項ｂ］
　特許明細書の段落番号【０００８】の
　「【課題を解決するための手段】本発明の特徴は、以上のような田植機の縦送り装置調節構造において、次のように構成することにある。
［１］苗を載置して左右方向に往復横移動する苗のせ台と、苗のせ台の下部から苗を取り出して田面に植え付ける植付機構とを備え、苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、苗のせ台の下部を左右方向に往復横移動自在に支持する支持部材の位置を上下方向に変更して、苗のせ台の下部から植付機構が取り出す苗取り量を変更する苗取り量変更部を備えると共に、ワイヤのインナーワイヤの一端側を、苗取り量変更部に接続し、ワイヤのインナーワイヤの他端側を縦送り装置の下部に接続し、ワイヤのアウターワイヤの他端側を、苗送りベルトの上端よりも下側の苗のせ台の固定部に取り付けて、植付機構の苗取り量が少なくなると縦送り装置の苗送り量が小さくなり、且つ植付機構の苗取り量が多くなると縦送り装置の苗送り量が大きくなるように、苗取り量変更部と縦送り装置とを連係してある。」
の記載を
　「【課題を解決するための手段】本発明の特徴は、以上のような田植機の縦送り装置調節構造において、次のように構成することにある。
［１］苗を載置して左右方向に往復横移動する苗のせ台と、苗のせ台の下部から苗を取り出して田面に植え付ける植付機構とを備え、苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、苗のせ台の下部を左右方向に往復横移動自在に支持する支持部材の位置を上下方向に変更して、苗のせ台の下部から植付機構が取り出す苗取り量を変更する苗取り量変更部を備えると共に、ワイヤのインナーワイヤの一端側を、苗取り量変更部に接続し、ワイヤのインナーワイヤの他端側を縦送り装置の下部に接続し、ワイヤのアウターワイヤの他端側を、苗送りベルトの上端よりも下側の苗のせ台の固定部に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
と訂正する。
　
［訂正事項ｃ］
　特許明細書の段落番号【０００９】の
　「［２］苗を載置して左右方向に往復横移動する苗のせ台と、苗のせ台の下部から苗を取り出して田面に植え付ける植付機構とを備え、苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、苗のせ台の下部を左右方向に往復横移動自在に支持する支持部材の付近において、苗のせ台の苗のせ面とは反対側に、回動操作自在な支持軸を左右方向に配置し、支持軸から苗のせ台側に延出された支持アームに、支持部材を支持させて、支持軸を回動操作して支持部材の位置を上下方向に変更することにより、苗のせ台の下部から植付機構が取り出す苗取り量を変更可能に構成すると共に、支持軸から苗のせ台とは反対側にアーム部を延出して、アーム部にワイヤのインナーワイヤの一端側を接続し、ワイヤのインナーワイヤの他端側を縦送り装置の下部に接続し、ワイヤのアウターワイヤの他端側を、苗送りベルトの上端よりも下側の苗のせ台の固定部に取り付けて、植付機構の苗取り量が少なくなると縦送り装置の苗送り量が小さくなり、且つ植付機構の苗取り量が多くなると縦送り装置の苗送り量が大きくなるように、支持軸と縦送り装置とを連係してある。」
の記載を
　「［２］苗を載置して左右方向に往復横移動する苗のせ台と、苗のせ台の下部から苗を取り出して田面に植え付ける植付機構とを備え、苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、苗のせ台の下部を左右方向に往復横移動自在に支持する支持部材の付近において、苗のせ台の苗のせ面とは反対側に、回動操作自在な支持軸を左右方向に配置し、支持軸から苗のせ台側に延出された支持アームに、支持部材を支持させて、支持軸を回動操作して支持部材の位置を上下方向に変更することにより、苗のせ台の下部から植付機構が取り出す苗取り量を変更可能に構成すると共に、支持軸から苗のせ台とは反対側にアーム部を延出して、アーム部にワイヤのインナーワイヤの一端側を接続し、ワイヤのインナーワイヤの他端側を縦送り装置の下部に接続し、ワイヤのアウターワイヤの他端側を、苗送りベルトの上端よりも下側の苗のせ台の固定部に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
と訂正する。
　
２．訂正の目的の適否、新規事項の有無及び拡張・変更の存否
　訂正事項ａの訂正は、特許請求の範囲の減縮を目的とするものに該当する。
　訂正事項ｂ及びｃの訂正は、発明の詳細な説明の記載を訂正後の特許請求の範囲の記載と整合させるためのものであるから、上記訂正事項ｂ及びｃの訂正は、明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．むすび
　以上のとおりであるから、上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の訂正に関する規定に適合するので、当該訂正を認める。
　
三、特許異議申立てについて
１．特許異議申立理由の概要
　申立人は、本件の特許請求の範囲の請求項１及び請求項２に係る発明（以下、順に、「本件発明１」及び「本件発明２」という。）は、下記の甲第１号証ないし甲第３号証に記載された発明に基いて当業者が容易に発明をすることができたものであるから、本件発明の特許は、特許法第２９条第２項の規定に違背してなされたものであり、取り消されるべきであると主張している。
　　　　　　　　　　　　　　　　　記
　甲第１号証：実公平４−３６５７９号公報
　甲第２号証の１：実開平３−９２９１７号公報
　甲第２号証の２：実開昭６１−４０８２４号公報
　甲第２号証の３：特開平２−２６５４０９号公報
　甲第３号証：特開昭６０−２０３１１１号公報
　
２．当審の判断
（１）本件発明
　本件発明１及び本件発明２は、訂正明細書の特許請求の範囲の請求項１及び請求項２に記載された次の事項により特定されるとおりのものである。
　「【請求項１】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部（１６），（１７）を備えると共に、ワイヤ（２９）のインナーワイヤ（２９ａ）の一端側を、前記苗取り量変更部（１６），（１７）に接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
　　【請求項２】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の付近において、前記苗のせ台（１）の苗のせ面とは反対側に、回動操作自在な支持軸（１６）を左右方向に配置し、前記支持軸（１６）から前記苗のせ台（１）側に延出された支持アーム（１７）に、前記支持部材（１４）を支持させて、前記支持軸（１６）を回動操作して前記支持部材（１４）の位置を上下方向に変更することにより、前記苗のせ台（１）の下部から前記植付機構（２）が取り出す苗取り量を変更可能に構成すると共に、前記支持軸（１６）から前記苗のせ台（１）とは反対側にアーム部（３０）を延出して、前記アーム部（３０）にワイヤ（２９）のインナーワイヤ（２９ａ）の一端側を接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
　
（２）甲第１号証ないし甲第３号証に記載の発明
・甲第１号証には、田植機における苗送り装置に関して、次の事項が記載されている。
　「またドライブケース１の上方にはマット苗（図示せず）を載置する苗載台３が左右往復駆動機構４を介して左右往復移動自在に且つ前高後低状に架設されていて、苗載台３の後方には植付杆５が上下回動自在に設けられている。上記苗載台３の苗取出し口寄り側裏面にはローラ６，７がブラケット６’，７’に支持されたシャフト６ａ，７ａを介して回転自在に軸支され、該ローラ６，７間には苗繰出し用の突起付ベルト８が捲回されており、」（２頁３欄２８行〜３７行）
　「上記シャフト６ａにはラチェットホイール９の歯に係合するラチェット爪１０ａを有するＴ型状の作動金具１０が回動可能に装着され、」（２頁３欄４１行〜４３行）
　「２０は苗載台３の裏面側にブラケット２１及び苗載台３の全巾にわたって一体の支点ピン２２を介して揺動自在に吊設された作動体で、該作動体２０の長手方向中途部に突設したピン２０ａは上記長孔１１ａに遊嵌しており、また作動体２０の揺動先端部に軸支したローラ２３は側面視においてはドライブケース１の外側方に突出せしめた駆動体２４の回転軌跡ａ内に臨んだ関係位置にある。この駆動体２４はドライブケース１内の動力伝達系により常時第１図における反時計方向に回転し、苗載台３が左右移動端にきて植付杆５が移動行程最終の一株を掻取った後、駆動体２４がローラ２３に当たってローラ２３を駆動体２４の軌跡外まで押上げるため作動体２０が支点ピン２２を中心にして第２図における実線図示の状態から仮想線図示の状態に回動変位し、これにより連繋部材１１が引張られてＴ型状作動金具１０がシャフト６ａを中心にして時計方向に回動しラチェットホイール９及びローラ６を同方向に所定ピッチ回動せしめるようになっており、このローラ６の回動により突起付ベルト８が矢印ハ方向に回動移動して苗載台３上のマット苗を苗取出し口側に所定ピッチ繰出すようになっていて、これらにより苗繰出機構Ｂが構成されている。」（２頁４欄３３行〜３頁５欄１２行）
　「２７は上記ピン２６の近接位置に回動支点２８を有する正面略Ｌ字形状の苗掻取り量調節操作部材（レバー）で、その基端折曲部２７ａに設けた長孔２７’ａに上記ピン２６が遊嵌せしめられていて、レバー２７をニ方向に傾動するとエプロン２５が苗繰出方向前方（ｙ）方向に移動しまたホ方向に傾動するとエプロン２５が後方ｘ方向に移動するようになっていて、これにより単位植付株あて苗の掻取り量を自在に調整し得るように構成されている。ところで上記レバー２７の長手方向中途部はワイヤ２９を介して前記苗繰出機構Ｂの作動体２０と直接的に連結されていて、レバー２７の傾動操作により作動体２０の戻り位置が規制されるようになっている。」（３頁５欄１９行〜３４行）
　「そしてガイド板３０の案内孔３１で位置決め係合されるレバー２７は作動体２０の連結具２９とガイド板３０の裏面側で連結されており、」（３頁５欄３７行〜４０行）
　「なお、上記レバー２７のピン２６嵌合部２７ｃは巾方向に所定間隔を存して複数個配設されており、各ピン嵌合部２７ｃはロッド３３により一体的に連結されている。」（３頁６欄３行〜６行）
　「図中３４はアウタ、３５はアウタ止めプレートである。」（３頁６欄２４行〜２５行）
　「いま掻取り量調整用のレバー２７を第２図に示す中間状態から第３図に示す如く矢印ホ方向に傾動操作するとエプロン２５に突設したピン２６がテコ作用で後方へ押上げられるためエプロン２５がｘ方向に移動して掻取り量が小となる。また上記レバー２７の傾動によりワイヤ２９が引張られて作動体２０が支点ピン２２を中心にして矢印イ方向に所定角度回動して実線図示の状態に変位する。そこで上記レバー２７を図示の傾斜状態に係合固定するとワイヤ２９により作動体２０の戻り位置が規制されるため作動体２０の作動範囲が小となり、苗の繰出し量も小となる。また、レバー２７をニ方向に傾動すると夫々上記とは逆方向に移動して苗の掻取り量が大となると共に苗の繰出し量も大となる。」（３頁６欄２９行〜４４行）
　
・甲第２号証の１、甲第２号証の２及び甲第２号証の３には、田植機の苗縦送り装置において、ワイヤのアウターワイヤの他端側を苗送りベルトの上端より下側の苗のせ台の固定部に取り付ける点が記載されている。
　
・甲第３号証には、苗植機の苗供給装置に関して、次の事項が記載されている。
　「該苗受板（３）は又該苗タンク（２）の前端部にあって苗タンク（２）内の苗の前端部底面と前側面とを案内すべく側面Ｌ字状に設け、中間部に挿苗装置（１）の作用する苗取口を設け、苗タンク（２）の全幅に亘り苗タンク（２）及び機体（５）に対して前後方向へ移動調節可能に設ける。この苗受板（３）の底部は、機体（５）に対して軸（１７）回りに回動自在のアーム（１１）先端の横軸（１８）に、前後回動自在に嵌合支持して設け、」（２頁左上欄１５行〜２頁右上欄４行）
　「調節レバー（８）は機体（５）に上下回動自在に枢着（２１）し、かつ中間部を横方向へ屈折自在にして案内板（９）の係合部に対して回動位置を係止しうるもので、一体を連杆（１０）で該アーム（１１）と連結して、苗受板（３）を前後方向へ移動調節固定自在に設けている。該苗タンク（２）の底部には、前端部よりやや上部に収容苗を繰出す一方向回転の爪車（６）により伝動される突起付平ベルト（７）を利用した繰出機構（４）を適当長に亘り設ける。」（２頁右上欄６行〜２頁右上欄１６行）
　
（３）判断
（３−１）本件発明１について
　本件発明１と、当審が通知した取消理由に引用刊行物１として引用した甲第１号証に記載の発明とを対比すると、甲第１号証に記載の発明の「苗載台３」「植付杆５」「突起付ベルト８」「マット苗」「苗繰出機構Ｂ」「エプロン２５」「ワイヤ２９」「インナーワイヤ２９」「アウターワイヤ２９」「アウタ止めプレート３５」のそれぞれが、本件発明の「苗のせ台（１）」「植付機構（２）」「苗送りベルト（１８ｃ）」「苗」「縦送り装置（１８）」「支持部材（１４）」「ワイヤ（２９）」「インナーワイヤ（２９ａ）」「アウターワイヤ（２９ｂ）」「固定部（３１）」に相当することは明らかである。また、甲第１号証に記載の発明の「苗掻取り量調整操作部材（レバー）２７、ピン嵌合部２７ｃ、長孔２７ａ’、ピン２６、ロッド３３からなる操作機構」が、本件発明１の「前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部（１６），（１７）」に相当する。
　そうしてみると、両者は「苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部（１６），（１７）を備えると共に、ワイヤ（２９）のインナーワイヤ（２９ａ）の一端側を、前記苗取り量変更部（１６），（１７）に接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗のせ台（１）の固定部（３１）に取り付けて、前記植付機構（２）の苗取り量が少なくなると前記縦送り装置（１８）の苗送り量が小さくなり、且つ前記植付機構（２）の苗取り量が多くなると前記縦送り装置（１８）の苗送り量が大きくなるように、前記苗取り量変更部（１６），（１７）と縦送り装置（１８）とを連係してある田植機の縦送り装置調節構造」である点で一致し、次の点で両者の構成が相違する。
　［相違点１］：本件発明１では、ワイヤ（２９）のアウターワイヤ（２９ｂ）の他端側の取り付け位置が「前記苗送りベルト（１８ｃ）の上端よりも下側の前記苗のせ台（１）の固定部（３１）」であるのに対し、甲第１号証に記載の発明では、その取り付け位置が「前記苗送りベルトの上端よりも上側の前記苗のせ台の固定部」ある点。
　［相違点２］：本件発明１が「前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して」あるのに対し、甲第１号証に記載の発明は、そのような構成を有しない点。
　つぎに、上記の相違点について検討すると、前記甲第２の１、甲第２号証の２、甲第２号証の３、甲第３号証のいずれにも、少なくとも前記［相違点２］の「前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して」の点が記載されてなく、示唆されてもいない。しかも、前記［相違点２］に係る構成は、自明のものとも、また本件特許出願当時の周知技術であるということもできない。そして、本件発明は、前記構成により平成１３年６月２６日付け提出の特許異議意見書に記載の効果を奏するものと認められる。
　そうしてみると、本件発明１は、上記甲第１号証ないし甲第３号証にそれぞれ記載された発明に基いて当業者が容易に発明をすることができたものとすることができない。
　
（３−２）本件発明２について
　つぎに、本件発明２と、当審が通知した取消理由に引用刊行物として引用した甲第１号証に記載の発明とを対比すると、甲第１号証に記載の発明の「苗掻取り量調整操作部材（レバー）２７、ピン嵌合部２７ｃ、長孔２７ａ’、ピン２６、ロッド３３からなる操作機構」と、本件発明２の「前記苗のせ台（１）の下部を左右方向に往復横移動自在に支持する支持部材（１４）の付近において、前記苗のせ台（１）の苗のせ面とは反対側に、回動操作自在な支持軸（１６）を左右方向に配置し、前記支持軸（１６）から前記苗のせ台（１）側に延出された支持アーム（１７）に、前記支持部材（１４）を支持させて、前記支持軸（１６）を回動操作して前記支持部材（１４）の位置を上下方向に変更することにより、前記苗のせ台（１）の下部から前記植付機構（２）が取り出す苗取り量を変更可能に構成した支持軸（１６）」とが、いずれも同じ「苗取り量変更部」であることを考慮すると、両者は「苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、苗取り量変更部により、前記苗のせ台（１）の下部から前記植付機構（２）が取り出す苗取り量を変更可能に構成すると共に、前記ワイヤ（２９）のアウターワイヤ（２９ｂ）の他端側を、前記苗のせ台（１）の固定部（３１）に取り付けて、前記植付機構（２）の苗取り量が少なくなると前記縦送り装置（１８）の苗送り量が小さくなり、且つ前記植付機構（２）の苗取り量が多くなると前記縦送り装置（１８）の苗送り量が大きくなるように、前記苗取り量変更部と縦送り装置（１８）とを連係してある田植機の縦送り装置調節構造」である点で一致し、次の点で両者の構成が相違する。
　［相違点３］：本件発明２では、ワイヤ（２９）のアウターワイヤ（２９ｂ）の他端側の取り付け位置が「前記苗送りベルト（１８ｃ）の上端よりも下側の前記苗のせ台（１）の固定部（３１）」であるのに対し、甲第１号証に記載の発明では、その取り付け位置が「前記苗送りベルトの上端よりも上側の前記苗のせ台の固定部」ある点。
　［相違点４］：本件発明２が「前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して」あるのに対し、甲第１号証に記載の発明は、そのような構成を有しない点。
　［相違点５］：苗取り量変更部が、本件発明２では「前記苗のせ台（１）の下部を左右方向に往復横移動自在に支持する支持部材（１４）の付近において、前記苗のせ台（１）の苗のせ面とは反対側に、回動操作自在な支持軸（１６）を左右方向に配置し、前記支持軸（１６）から前記苗のせ台（１）側に延出された支持アーム（１７）に、前記支持部材（１４）を支持させて、前記支持軸（１６）を回動操作して前記支持部材（１４）の位置を上下方向に変更することにより、前記苗のせ台（１）の下部から前記植付機構（２）が取り出す苗取り量を変更可能に構成すると共に、前記支持軸（１６）から前記苗のせ台（１）とは反対側にアーム部（３０）を延出して、前記アーム部（３０）にワイヤ（２９）のインナーワイヤ（２９ａ）の一端側を接続し、前記ワイヤ（２９）のインナーワイヤ（２９ａ）の他端側を前記縦送り装置（１８）の下部に接続し、前記支持軸（１６）と縦送り装置（１８）とを連係してある」のに対し、甲第１号証に記載の発明は「前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部である『苗掻取り量調整操作部材（レバー）２７、ピン嵌合部２７ｃ、長孔２７ａ’、ピン２６、ロッド３３からなる操作機構』を備えると共に、ワイヤ（２９）のインナーワイヤ（２９ａ）の一端側を、前記苗取り量変更部（１６），（１７）に接続し、前記ワイヤ（２９）のインナーワイヤ（２９ａ）の他端側を前記縦送り装置（１８）の下部に接続し、前記苗取り量変更部と縦送り装置（１８）とを連係してある」点。
　つぎに、上記の相違点について検討すると、前記甲第２の１、甲第２号証の２、甲第２号証の３、甲第３号証のいずれにも、少なくとも前記［相違点４］の「前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して」の点が記載されてなく、示唆されてもいない。しかも、前記［相違点４］に係る構成は、自明のものとも、また本件特許出願当時の周知技術であるということもできない。そして、本件発明は、前記構成により平成１３年６月２６日付け提出の特許異議意見書に記載の効果を奏するものと認められる。
　したがって、本件発明２は、上記甲第１号証ないし甲第３号証にそれぞれ記載された発明に基いて当業者が容易に発明をすることができたものとすることができない。
（３−３）まとめ
　そうしてみると、本件発明１及び本件発明２のいずれも、特許異議申立人が提出した証拠方法に基いて当業者が容易に発明をすることができたということができない。
　したがって、特許異議申立人の主張は採用できない。
　
３．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年７月２４日（２００１．７．２４）
【訂正の要旨】
訂正の要旨
［訂正事項ａ］
　特許明細書の【特許請求の範囲】の
　「【請求項１】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部（１６），（１７）を備えると共に、ワイヤ（２９）のインナーワイヤ（２９ａ）の一端側を、前記苗取り量変更部（１６），（１７）に接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、前記植付機構（２）の苗取り量が少なくなると前記縦送り装置（１８）の苗送り量が小さくなり、且つ前記植付機構（２）の苗取り量が多くなると前記縦送り装置（１８）の苗送り量が大きくなるように、前記苗取り量変更部（１６），（１７）と縦送り装置（１８）とを連係してある田植機の縦送り装置調節構造。
　【請求項２】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の付近において、前記苗のせ台（１）の苗のせ面とは反対側に、回動操作自在な支持軸（１６）を左右方向に配置し、前記支持軸（１６）から前記苗のせ台（１）側に延出された支持アーム（１７）に、前記支持部材（１４）を支持させて、前記支持軸（１６）を回動操作して前記支持部材（１４）の位置を上下方向に変更することにより、前記苗のせ台（１）の下部から前記植付機構（２）が取り出す苗取り量を変更可能に構成すると共に、前記支持軸（１６）から前記苗のせ台（１）とは反対側にアーム部（３０）を延出して、前記アーム部（３０）にワイヤ（２９）のインナーワイヤ（２９ａ）の一端側を接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、前記植付機構（２）の苗取り量が少なくなると前記縦送り装置（１８）の苗送り量が小さくなり、且つ前記植付機構（２）の苗取り量が多くなると前記縦送り装置（１８）の苗送り量が大きくなるように、前記支持軸（１６）と縦送り装置（１８）とを連係してある田植機の縦送り装置調節構造。」
の記載を、
特許請求の範囲の減縮を目的として、
　「【請求項１】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部（１６），（１７）を備えると共に、ワイヤ（２９）のインナーワイヤ（２９ａ）の一端側を、前記苗取り量変更部（１６），（１７）に接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
　【請求項２】苗を載置して左右方向に往復横移動する苗のせ台（１）と、前記苗のせ台（１）の下部から苗を取り出して田面に植え付ける植付機構（２）とを備え、前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、前記苗のせ台（１）の下部を左右方向に往復横移動自在に支持する支持部材（１４）の付近において、前記苗のせ台（１）の苗のせ面とは反対側に、回動操作自在な支持軸（１６）を左右方向に配置し、前記支持軸（１６）から前記苗のせ台（１）側に延出された支持アーム（１７）に、前記支持部材（１４）を支持させて、前記支持軸（１６）を回動操作して前記支持部材（１４）の位置を上下方向に変更することにより、前記苗のせ台（１）の下部から前記植付機構（２）が取り出す苗取り量を変更可能に構成すると共に、前記支持軸（１６）から前記苗のせ台（１）とは反対側にアーム部（３０）を延出して、前記アーム部（３０）にワイヤ（２９）のインナーワイヤ（２９ａ）の一端側を接続し、前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
と訂正する。
［訂正事項ｂ］
　特許明細書の段落番号【０００８】の
　「【課題を解決するための手段】本発明の特徴は、以上のような田植機の縦送り装置調節構造において、次のように構成することにある。
［１］苗を載置して左右方向に往復横移動する苗のせ台と、苗のせ台の下部から苗を取り出して田面に植え付ける植付機構とを備え、苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、苗のせ台の下部を左右方向に往復横移動自在に支持する支持部材の位置を上下方向に変更して、苗のせ台の下部から植付機構が取り出す苗取り量を変更する苗取り量変更部を備えると共に、ワイヤのインナーワイヤの一端側を、苗取り量変更部に接続し、ワイヤのインナーワイヤの他端側を縦送り装置の下部に接続し、ワイヤのアウターワイヤの他端側を、苗送りベルトの上端よりも下側の苗のせ台の固定部に取り付けて、植付機構の苗取り量が少なくなると縦送り装置の苗送り量が小さくなり、且つ植付機構の苗取り量が多くなると縦送り装置の苗送り量が大きくなるように、苗取り量変更部と縦送り装置とを連係してある。」
の記載を、
明りょうでない記載の釈明を目的として、
　「【課題を解決するための手段】本発明の特徴は、以上のような田植機の縦送り装置調節構造において、次のように構成することにある。
［１］苗を載置して左右方向に往復横移動する苗のせ台と、苗のせ台の下部から苗を取り出して田面に植え付ける植付機構とを備え、苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、苗のせ台の下部を左右方向に往復横移動自在に支持する支持部材の位置を上下方向に変更して、苗のせ台の下部から植付機構が取り出す苗取り量を変更する苗取り量変更部を備えると共に、ワイヤのインナーワイヤの一端側を、苗取り量変更部に接続し、ワイヤのインナーワイヤの他端側を縦送り装置の下部に接続し、ワイヤのアウターワイヤの他端側を、苗送りベルトの上端よりも下側の苗のせ台の固定部に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
と訂正する。
［訂正事項ｃ］
　特許明細書の段落番号【０００９】の
　「［２］苗を載置して左右方向に往復横移動する苗のせ台と、苗のせ台の下部から苗を取り出して田面に植え付ける植付機構とを備え、苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、苗のせ台の下部を左右方向に往復横移動自在に支持する支持部材の付近において、苗のせ台の苗のせ面とは反対側に、回動操作自在な支持軸を左右方向に配置し、支持軸から苗のせ台側に延出された支持アームに、支持部材を支持させて、支持軸を回動操作して支持部材の位置を上下方向に変更することにより、苗のせ台の下部から植付機構が取り出す苗取り量を変更可能に構成すると共に、支持軸から苗のせ台とは反対側にアーム部を延出して、アーム部にワイヤのインナーワイヤの一端側を接続し、ワイヤのインナーワイヤの他端側を縦送り装置の下部に接続し、ワイヤのアウターワイヤの他端側を、苗送りベルトの上端よりも下側の苗のせ台の固定部に取り付けて、植付機構の苗取り量が少なくなると縦送り装置の苗送り量が小さくなり、且つ植付機構の苗取り量が多くなると縦送り装置の苗送り量が大きくなるように、支持軸と縦送り装置とを連係してある。」
の記載を、
明りょうでない記載の釈明を目的として、
　「［２］苗を載置して左右方向に往復横移動する苗のせ台と、苗のせ台の下部から苗を取り出して田面に植え付ける植付機構とを備え、苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、苗のせ台の下部を左右方向に往復横移動自在に支持する支持部材の付近において、苗のせ台の苗のせ面とは反対側に、回動操作自在な支持軸を左右方向に配置し、支持軸から苗のせ台側に延出された支持アームに、支持部材を支持させて、支持軸を回動操作して支持部材の位置を上下方向に変更することにより、苗のせ台の下部から植付機構が取り出す苗取り量を変更可能に構成すると共に、支持軸から苗のせ台とは反対側にアーム部を延出して、アーム部にワイヤのインナーワイヤの一端側を接続し、ワイヤのインナーワイヤの他端側を縦送り装置の下部に接続し、ワイヤのアウターワイヤの他端側を、苗送りベルトの上端よりも下側の苗のせ台の固定部に取り付けて、
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
と訂正する。
（５４）【発明の名称】
田植機の縦送り装置調節構造
（５７）【特許請求の範囲】
　【請求項１】　苗を載置して左右方向に往復横移動する苗のせ台（１）と、前記苗のせ台（１）の下部から苗を取り出して田面に植え付ける植付機構（２）とを備え、
　前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、
　前記苗のせ台（１）の下部を左右方向に往復横移動自在に支持する支持部材（１４）の位置を上下方向に変更して、前記苗のせ台（１）の下部から前記植付機構（２）が取り出す苗取り量を変更する苗取り量変更部（１６），（１７）を備えると共に、
　ワイヤ（２９）のインナーワイヤ（２９ａ）の一端側を、前記苗取り量変更部（１６），（１７）に接続し、
　前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、
　
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
　前記植付機構（２）の苗取り量が少なくなると前記縦送り装置（１８）の苗送り量が小さくなり、且つ前記植付機構（２）の苗取り量が多くなると前記縦送り装置（１８）の苗送り量が大きくなるように、前記苗取り量変更部（１６），（１７）と縦送り装置（１８）とを連係してある田植機の縦送り装置調節構造。
　【請求項２】　苗を載置して左右方向に往復横移動する苗のせ台（１）と、前記苗のせ台（１）の下部から苗を取り出して田面に植え付ける植付機構（２）とを備え、
　前記苗のせ台（１）の苗のせ面に沿って上下方向に配置された苗送りベルト（１８ｃ）により、前記苗のせ台（１）に載置された苗を前記苗のせ台（１）の下部側に送る縦送り装置（１８）を備えて、前記縦送り装置（１８）の苗送り量を変更可能に構成し、
　前記苗のせ台（１）の下部を左右方向に往復横移動自在に支持する支持部材（１４）の付近において、前記苗のせ台（１）の苗のせ面とは反対側に、回動操作自在な支持軸（１６）を左右方向に配置し、前記支持軸（１６）から前記苗のせ台（１）側に延出された支持アーム（１７）に、前記支持部材（１４）を支持させて、前記支持軸（１６）を回動操作して前記支持部材（１４）の位置を上下方向に変更することにより、前記苗のせ台（１）の下部から前記植付機構（２）が取り出す苗取り量を変更可能に構成すると共に、
　前記支持軸（１６）から前記苗のせ台（１）とは反対側にアーム部（３０）を延出して、前記アーム部（３０）にワイヤ（２９）のインナーワイヤ（２９ａ）の一端側を接続し、
　前記ワイヤ（２９）のインナーワイヤ（２９ａ）の他端側を前記縦送り装置（１８）の下部に接続し、前記ワイヤ（２９）のアウターワイヤ（２９ｂ）の他端側を、前記苗送りベルト（１８ｃ）の上端よりも下側の前記苗のせ台（１）の固定部（３１）に取り付けて、
　
前記ワイヤ（２９）の一端側及び他端側の両方を、上側から下側に向く姿勢に設定し、前記ワイヤ（２９）のアウターワイヤ（２９ｂ）の一端側及び他端側の両方を、下端側が開放された下向き姿勢に設定して、
　前記植付機構（２）の苗取り量が少なくなると前記縦送り装置（１８）の苗送り量が小さくなり、且つ前記植付機構（２）の苗取り量が多くなると前記縦送り装置（１８）の苗送り量が大きくなるように、前記支持軸（１６）と縦送り装置（１８）とを連係してある田植機の縦送り装置調節構造。
【発明の詳細な説明】
　【０００１】
　【産業上の利用分野】
　本発明は、苗のせ台の苗のせ面に沿って上下方向に配置された苗送りベルトにより、苗のせ台に載置された苗を下部側に送る縦送り装置を備えた田植機において、縦送り装置の苗送り量を変更する縦送り装置調節構造に関する。
　【０００２】
　【従来の技術】
　田植機では、植付機構が苗のせ台の下部を通過して苗を取り出し田面に植え付けるように構成されており、植付機構による苗の植え付けに伴って、苗のせ台に載置された苗が縦送り装置により苗のせ台の下部側に送られるように構成されている。
　このような田植機では一般に、植付機構の苗取り量が変更できるように構成されているので、植付機構の苗取り量が変更されると、これに合わせて縦送り装置の苗送り量も変更して、植付機構の苗取り量の変更に関係なく、苗のせ台に載置された苗が縦送り装置により苗のせ台の下部側に過不足なく送られるようにする必要がある。
　【０００３】
　前述のような縦送り装置の苗送り量を変更する構造の一例が、実公平４−３６５７９号公報に開示されている。この構造では、苗のせ台（前記公報の第２図中の３）の下部を左右方向に往復横移動自在に支持する支持部材（前記公報の第２図中の２５）の位置を上下方向に変更して、苗のせ台の下部から植付機構が取り出す苗取り量を変更する苗取り量変更部（前記公報の第２図中の２７ａ，２７ｃ，２８）を備えている。縦送り装置において苗送り量が変更自在に構成されており、苗取り量変更部と縦送り装置とを、ワイヤ（インナーワイヤ）で接続している。
　これにより、苗取り量変更部により苗のせ台の支持部材を下方に移動させて植付機構の苗取り量を多側に変更すると、ワイヤ（インナーワイヤ）により縦送り装置の苗送り量が自動的に大側に変更され、苗取り量変更部により苗のせ台の支持部材を上方に移動させて植付機構の苗取り量を少側に変更すると、ワイヤ（インナーワイヤ）により縦送り装置の苗送り量が自動的に小側に変更される。
　【０００４】
　【発明が解決しようとする課題】
　田植機の場合、複数の植付条に対応する複数の苗のせ面を苗のせ台に備えており、各苗のせ面の縦送り装置において苗の送りにスリップが発生すると、各苗のせ面の縦送り装置の苗の送りにバラ付きが発生する。苗のせ面において苗が設定量以下に少なくなると、田植機を一時停止させて、苗が設定量以下に少なくなった苗のせ面に苗を補給する必要があるので、前述のように各苗のせ面の縦送り装置の苗の送りにバラ付きが発生すると、一つの苗のせ面の苗が設定量以下に少なくなる毎に田植機を一時停止させることになり、苗を補給する為に田植機を一時停止させる回数が多くなって、作業能率が低下する。
　【０００５】
　これによって、縦送り装置を前述のように、苗のせ台の苗のせ面に沿って上下方向に配置された苗送りベルトにより、苗のせ台に載置された苗を下部側に送るように構成し、縦長の苗送りベルトを苗のせ台に載置された苗に長い範囲で接触させることによって、スリップを抑えながら苗を苗のせ台の下部側に送ることができるようにしている。
　このように苗送りベルトにより縦送り装置を構成することによって、各苗のせ面の苗ができるだけ同時に設定量以下に少なくなるようにし、田植機を一時停止させた際に複数の苗のせ面に苗の補給が行えるようにして、田植機を一時停止させる回数を減らすことが期待できる。近年では、さらにスリップを抑えて苗を苗のせ台の下部側に送ることができるように、縦送り装置の苗送りベルトがさらに縦長になる傾向にある。
　【０００６】
　前述のような状態において［従来の技術］に記載の構成であると、苗取り量変更部（苗取り量）と縦送り装置（苗送り量）とを連係させるように、ワイヤのインナーワイヤを接続した場合、縦送り装置に接続される側において、ワイヤのアウターワイヤの端部（前記公報の第２図中の３４）が、苗送りベルトの上端よりも上側の固定部（前記公報の第２図中の３５）に取り付けられている。これにより、縦送り装置に接続される側において、ワイヤのアウターワイヤの端部からインナーワイヤの出ている長さが、長いものになっている。
　【０００７】
　前述のようにワイヤのインナーワイヤの出ている長さが長いものになっていると、結果的にワイヤの全体の長さも長いものになってしまう。この場合、ワイヤのインナーワイヤは比較的伸び易いので、ワイヤのインナーワイヤが伸びた際、ワイヤのインナーワイヤの全体としての伸び量が大きなものとなってしまって、縦送り装置の苗送り量の設定精度が低下するおそれがある。
　本発明は田植機において、スリップを抑えながら苗を苗のせ台の下部側に送ることができるように苗送りベルトにより縦送り装置を構成した場合、植付機構の苗取り量の変更に伴って縦送り装置の苗送り量が自動的に変更されるように構成した際に、縦送り装置の苗送り量の設定精度の低下を防止できるように構成することを目的としている。
　【０００８】
　【課題を解決するための手段】
　本発明の特徴は、以上のような田植機の縦送り装置調節構造において、次のように構成することにある。
［１］
　苗を載置して左右方向に往復横移動する苗のせ台と、苗のせ台の下部から苗を取り出して田面に植え付ける植付機構とを備え、
　苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、
　苗のせ台の下部を左右方向に往復横移動自在に支持する支持部材の位置を上下方向に変更して、苗のせ台の下部から植付機構が取り出す苗取り量を変更する苗取り量変更部を備えると共に、
　ワイヤのインナーワイヤの一端側を、苗取り量変更部に接続し、
　ワイヤのインナーワイヤの他端側を縦送り装置の下部に接続し、ワイヤのアウターワイヤの他端側を、苗送りベルトの上端よりも下側の苗のせ台の固定部に取り付けて、
　
ワイヤの一端側及び他端側の両方を、上側から下側に向く姿勢に設定し、ワイヤのアウターワイヤの一端側及び他端側の両方を、下端側が開放された下向き姿勢に設定して、
　植付機構の苗取り量が少なくなると縦送り装置の苗送り量が小さくなり、且つ植付機構の苗取り量が多くなると縦送り装置の苗送り量が大きくなるように、苗取り量変更部と縦送り装置とを連係してある。
　【０００９】
［２］
　苗を載置して左右方向に往復横移動する苗のせ台と、苗のせ台の下部から苗を取り出して田面に植え付ける植付機構とを備え、
　苗のせ台の苗のせ面に沿って上下方向に配置された苗送りベルトにより、苗のせ台に載置された苗を苗のせ台の下部側に送る縦送り装置を備えて、縦送り装置の苗送り量を変更可能に構成し、
　苗のせ台の下部を左右方向に往復横移動自在に支持する支持部材の付近において、苗のせ台の苗のせ面とは反対側に、回動操作自在な支持軸を左右方向に配置し、支持軸から苗のせ台側に延出された支持アームに、支持部材を支持させて、支持軸を回動操作して支持部材の位置を上下方向に変更することにより、苗のせ台の下部から植付機構が取り出す苗取り量を変更可能に構成すると共に、
　支持軸から苗のせ台とは反対側にアーム部を延出して、アーム部にワイヤのインナーワイヤの一端側を接続し、
　ワイヤのインナーワイヤの他端側を縦送り装置の下部に接続し、ワイヤのアウターワイヤの他端側を、苗送りベルトの上端よりも下側の苗のせ台の固定部に取り付けて、
　
ワイヤの一端側及び他端側の両方を、上側から下側に向く姿勢に設定し、ワイヤのアウターワイヤの一端側及び他端側の両方を、下端側が開放された下向き姿勢に設定して、
　植付機構の苗取り量が少なくなると縦送り装置の苗送り量が小さくなり、且つ植付機構の苗取り量が多くなると縦送り装置の苗送り量が大きくなるように、支持軸と縦送り装置とを連係してある。
　【００１０】
　【作用】
［Ｉ］
　請求項１及び２の特徴によると、植付機構の苗取り量の変更に伴って縦送り装置の苗送り量が自動的に変更されるように、苗取り量変更部（植付機構の苗取り量を変更する支持軸）と縦送り装置とをワイヤによって接続する場合に、ワイヤのインナーワイヤの一端側を苗取り量変更部（植付機構の苗取り量を変更する支持軸）に接続して、ワイヤのインナーワイヤの他端側を縦送り装置の下部に接続し、ワイヤのアウターワイヤの他端側を、苗送りベルトの上端よりも下側の苗のせ台の固定部に取り付けている。
　【００１１】
　これにより、請求項１及び２の特徴によると縦送り装置側において、ワイヤのアウターワイヤの他端側が、ワイヤのインナーワイヤの他端側が接続されている部分（縦送り機構の下部）に接近することになって、ワイヤのアウターワイヤの他端側から出ているインナーワイヤの長さが短いものとなり、結果的にその分だけワイヤの全体の長さを短いものにすることができる。
　このように請求項１及び２の特徴によると、比較的伸び易いワイヤのインナーワイヤの出ている長さを短いものとし、ワイヤの全体の長さを短いものにして、ワイヤのインナーワイヤが伸びた際に、ワイヤのインナーワイヤの全体としての伸び量を小さなものに抑えることができるので、植付機構の苗取り量の変更に伴って変更される縦送り装置の苗送り量の設定精度を、良いものに維持することができる。
　【００１２】
［ＩＩ］
　前項［Ｉ］に記載の苗取り量変更部（植付機構の苗取り量を変更する支持軸）は一般に、苗植付装置に対して位置固定状態であり、これに対し縦送り装置は、左右方向に往復横移動する苗のせ台に備えられて、苗のせ台と一緒に左右方向に往復横移動する。これにより、植付機構の苗取り量の変更に伴って縦送り装置の苗送り量が自動的に変更されるように、苗取り量変更部（植付機構の苗取り量を変更する支持軸）と縦送り装置とをワイヤによって接続すると、縦送り装置に接続されるワイヤの他端側において、ワイヤのアウターワイヤの他端側から出ているインナーワイヤも、縦送り装置と一緒に左右方向に往復横移動する。
　【００１３】
　請求項１及び２の特徴によると前項［Ｉ］に記載のように、苗取り量変更部（植付機構の苗取り量を変更する支持軸）と縦送り装置とをワイヤによって接続する場合、縦送り装置に接続されるワイヤの他端側において、ワイヤのアウターワイヤの他端側から出ているインナーワイヤの長さを、短いものにすることができる。
　これにより、縦送り装置に接続されるワイヤの他端側が縦送り装置と一緒に左右方向に往復横移動する際に、ワイヤのアウターワイヤの他端側から出ているインナーワイヤが移動する為に必要なスペースが小さなものになるので、ワイヤのアウターワイヤの他端側から出ているインナーワイヤが、縦送り装置から少し離れて配置されていても、ワイヤのアウターワイヤの他端側から出ているインナーワイヤが、苗取り量変更部や縦送り装置の近くに配置されている他の装置に引っ掛かると言うような状態が生じることは少ない。
　【００１４】
［ＩＩＩ］
　田植機において苗取り量変更部を構成する場合、例えば実用新案登録第２５０５３４１号に開示されているように、苗のせ台の下部を左右方向に往復横移動自在に支持する支持部材（前記登録公報の図３中の１５）の付近において、苗のせ台の苗のせ面とは反対側に、回動操作自在な支持軸（前記登録公報の図３中の４３）を左右方向に配置し、支持軸から苗のせ台側に延出された支持アーム（前記登録公報の図３中の４２）に支持部材を支持させて、支持軸を回動操作して支持部材の位置を上下方向に変更することにより、苗のせ台の下部から植付機構が取り出す苗取り量を変更するように構成したものが多くある。
　【００１５】
　この場合、前述の実用新案登録第２５０５３４１号の構造では、支持軸から苗のせ台側に延出されて苗のせ台の支持部材を支持する支持アームに、連係ロッド（前記登録公報の図３中の４４）を接続し、連係ロッドを縦送り装置に連係させることにより、植付機構の苗取り量の変更に伴って縦送り装置の苗送り量が自動的に変更されるように構成している。
　田植機では前述の構成において、支持軸と苗のせ台の支持部材とを接近させて配置し、支持アームの長さを短いものに設定しているので、支持軸や苗のせ台の支持部材との干渉を避けながら、前述のように連係ロッドを支持アームに接続することは容易ではなく、これによって連係ロッドの形状が複雑なものとなっている。
　【００１６】
［ＩＶ］
　前項［ＩＩＩ］に記載のように、苗のせ台の下部を左右方向に往復横移動自在に支持する支持部材の付近において、苗のせ台の苗のせ面とは反対側に、回動操作自在な支持軸を左右方向に配置して、支持軸から苗のせ台側に延出された支持アームに支持部材を支持させた場合、請求項２の特徴によると、支持軸から苗のせ台とは反対側にアーム部を延出して、アーム部にワイヤのインナーワイヤの一端側を接続し、ワイヤのインナーワイヤの他端側を縦送り装置の下部に接続している。
　これにより、支持軸を回動操作して支持アームにより苗のせ台の支持部材の位置を上下に変更して、植付機構の苗取り量を多側及び少側に変更すると、これに伴ってワイヤのインナーワイヤが押し引き操作されて、縦送り装置の苗送り量が大側及び小側に変更操作される。
　【００１７】
　前述のように請求項２の特徴では、支持軸から苗のせ台側に支持アームを延出させ、支持アームに苗のせ台の支持部材を支持させるのに対して、支持軸から苗のせ台とは反対側（支持アームとは反対側）にアーム部を延出し、支持軸のアーム部と縦送り装置とをワイヤで接続している。
　これにより、田植機において支持軸と苗のせ台の支持部材とを接近させて配置し、支持アームの長さを短いものに設定していても、請求項２の特徴のように、支持軸から支持アーム及び苗のせ台とは反対側に延出されたアーム部に、ワイヤを接続するように構成することによって、支持軸や苗のせ台の支持部材との干渉を容易に避けながら、ワイヤを支持軸のアーム部に接続することができるのであり、ワイヤを複雑に屈曲させる必要がない。
　さらにワイヤは前項［ＩＩＩ］に記載のような連係ロッドに比べて、容易に向きを変えることができるので、支持軸と縦送り装置との間に他の装置が配置されていても、これらを容易に避けながらワイヤを配置することができる。
　【００１８】
　【発明の効果】
　請求項１及び２の特徴によると、苗送りベルトにより構成された縦送り装置を備えた田植機の縦送り装置調節構造において、植付機構の苗取り量の変更に伴って縦送り装置の苗送り量が自動的に変更されるように、苗取り量変更部（植付機構の苗取り量を変更する支持軸）と縦送り装置とをワイヤで接続した場合、比較的伸び易いワイヤのインナーワイヤの長さを短いものとして、ワイヤのインナーワイヤの全体としての伸び量を小さなものに抑えることができるようになって、植付機構の苗取り量の変更に伴って縦送り装置の苗送り量を精度良く設定することができるようになり、縦送り装置により苗が苗のせ台の下部側に安定して送られるようになった。
　これにより、請求項１及び２の特徴によると、植付機構の苗取り量の変更に関係なく、苗のせ台の各苗のせ面において苗ができるだけ同時に設定量以下に少なくなるようにすることができ、田植機を一時停止させた際に、できるだけ多くの苗のせ面に苗の補給が行えるようになるので、田植機を一時停止させる回数を減らすことができて、田植機の作業能率を向上させることができた。
　【００１９】
　請求項１及び２の特徴によると、縦送り装置に接続されるワイヤの他端側において、ワイヤのアウターワイヤの他端側から出ているインナーワイヤの長さを、短いものにすることができ、縦送り装置に接続されるワイヤの他端側が縦送り装置と一緒に左右方向に往復横移動する際に、ワイヤのアウターワイヤの他端側から出ているインナーワイヤが、苗取り量変更部や縦送り装置の近くに配置されている他の装置に引っ掛かると言うような状態が少なくなるので、苗のせ台の左右方向の往復横移動が円滑に行われるようになる。
　【００２０】
　請求項２の特徴によると、植付機構の苗取り量を変更する支持軸から支持アーム及び苗のせ台とは反対側に延出されたアーム部に、ワイヤを接続することによって、支持軸や苗のせ台の支持部材との干渉を容易に避けることができ、ワイヤを複雑に屈曲させる必要がない点、及び前述の支持軸と縦送り装置との間に他の装置が配置されていても、これらを容易に避けながらワイヤを配置することができる点により、構造の複雑化を避けながら円滑にワイヤを押し引き操作することができるようになって、縦送り装置の調節構造の作動の安定化を図ることができた。
　【００２１】
　【実施例】
　以下、実施例を図面に基いて説明する。
　図１及び図４に苗植付装置を示している。この苗植付装置は、苗を載置して一定ストロークで左右方向に往復横移動する苗のせ台１、苗のせ台１の下部から苗を取り出して田面に植え付ける６個の植付機構２、３個の整地フロート３等を備えて構成されており、乗用型の走行機体（図示せず）の後部にリンク機構４を介して、昇降自在及び前後軸芯Ｙ周りにローリング自在に連結されている。
　【００２２】
　図１及び図４に示すように、リンク機構４の後部リンク４ａに形成した枢支ボス部５に、前後軸芯Ｙ周りで相対回動自在にフィードケース６を取り付け、フィードケース６の下方に、角パイプ形のメインフレーム７をボルトで締め付け連結している。メインフレーム７は横方向に延設されており、断面コ字形に屈曲成形した一対の板金材を合わせ面部分で溶接連結して構成されている。フィードケース６に動力取り出し軸８を介して走行機体側から動力が伝達され、伝達された動力を、フィードケース６に内装した苗のせ台１の横送り駆動機構（図示せず）、及び植付機構２に伝達するように構成している。
　【００２３】
　図１及び図４に示すようにメインフレーム７の後部面側に、所定間隔を置いて３個の植付ケース９を後方に向けて片持ち状にボルトで締め付け連結しており、植付ケース９の後部の左右両側に植付機構２を備えて、６条植型式に構成している。植付ケース９に内装したチェーン伝動機構１０を介して回転ケース１１を回転駆動し、回転ケース１１の回転に伴って回転ケース１１に設けたカム機構（図示せず）により、回転ケース１１の両端部に取り付けた植付爪１２の先端が、略楕円軌跡を描きながら上下動するように植付機構２を構成している。フィードケース６からメインフレーム７の後方側外方に配置された横向きの駆動軸１３を介して、植付機構２に動力を伝達するように構成している。
　【００２４】
　図２及び図１に示すように、苗のせ台１の下部を左右方向に往復横移動自在に支持する摺動レール１４（支持部材に相当）を、苗取り量調節レバー１５により上下方向にスライド操作して、植付機構２（植付爪１２）による苗取り量を複数段階に変更できるように構成している。摺動レール１４の近傍で植付ケース９に対して回動自在に左右方向に支持された横軸１６（苗取り量変更部及び支持軸に相当）に、苗取り量調節レバー１５を連結し、横軸１６から摺動レール１４に係合する支持アーム１７（苗取り量変更部に相当）を苗のせ台１側に延出して、苗取り量調節レバー１５を上下に操作することで、摺動レール１４及び苗のせ台１の全体の位置を上下方向に変更できるように構成している。
　【００２５】
　苗のせ台１において、往復横移動のストロークエンドで苗を所定の苗送り量で植付機構２に向けて送る縦送り装置１８を、植付条毎に備えている。縦送り装置１８は図２に示すように、上下一対のプーリ１８ａ，１８ｂに亘って突起付き無端状の縦送りベルト１８ｃ（苗送りベルトに相当）を巻回して、下方側のプーリ１８ｂを駆動回動することで作動するように構成している。
　【００２６】
　苗のせ台１の略全幅に亘って延びる六角形状の駆動軸２０に、駆動側のプーリ１８ｂをトルク伝達自在に外嵌装着して、駆動軸２０からボールクラッチ式の一方向回転クラッチ（図示せず）を介して延設され下方側に回動付勢された駆動アーム２２を備えている。苗のせ台１の往復横移動のストロークエンドにおいて、フィードケース６から横外方に突出した回転軸２３の回転カム２４が、駆動アーム２２に接当し所定量だけ回動駆動して、縦送りベルト１８ｃを所定量ずつ回動駆動するように構成している。
　【００２７】
　図２及び図３に示すように、駆動アーム２２に接当して駆動アーム２２の待機位置を設定する規制ピン２５を、駆動アーム２２の回動方向に位置調節自在に設けて、回転カム２４による縦送りベルト１８ｃの苗送り量を変更できるように構成している。駆動アーム２２の左右両側において駆動軸２０に外嵌された左右一対の支持部材２６に亘り、規制ピン２５を挿通して支持し抜け止めしている。駆動アーム２２を上方側から跨ぐ状態で、正面視コ字形の連係部材２７を規制ピン２５の左右両端部に差し込み係合させ、左右両側を引っ掛け係合したコイルバネ２８により、規制ピン２５を下方側に引張り付勢している。このような差し込み係合によって、片持ち状の部材を溶接する等の煩わしい生産工程が不要となり、拗れやガタ付きの生じ難い構造となっている。
　【００２８】
　図２及び図３に示すように、横軸１６に苗のせ台１とは反対側に一体形成したアーム３０（アーム部に相当）に、ワイヤ２９のインナーワイヤ２９ａの一端側を連結し、連係部材２７の上部の横延設部２７ａに、ワイヤ２９のインナーワイヤ２９ａの他端側をネジで締め付け連結している。上方側のプーリ１８ａの下側に位置する苗のせ台１の固定部３１に、ワイヤ２９のアウターワイヤ２９ｂの他端側を取り付けている。
　【００２９】
　以上の構造により、図１及び図２において苗取り量調節レバー１５を上方に操作して、植付機構２の苗取り量を多側に変更すると、ワイヤ２９のインナーワイヤ２９ａが連係部材２７側に戻し操作されて、規制ピン２５によって設定される駆動アーム２２の待機位置が下方側に変更される。これにより、回転カム２４によって駆動アーム２２が待機位置から上側の送り位置まで回動駆動される際のストロークが大きくなり、縦送りベルト８ｃの苗送り量が大きくなる。
　【００３０】
　逆に苗取り量調節レバー１５を下方に操作して、植付機構２の苗取り量を少側に変更すると、ワイヤ２９のインナーワイヤ２９ａが苗取り量調節レバー１５側に引き操作されて、規制ピン２５によって設定される駆動アーム２２の待機位置が上方側に変更される。これにより、回転カム２４によって駆動アーム２２が待機位置から上側の送り位置まで回動駆動される際のストロークが小さくなり、縦送りベルト８ｃの苗送り量が小さくなる。
　【００３１】
　このように、苗のせ台１の左右方向の往復横移動を許容しながら、植付機構２の苗取り量を多側に変更すると、縦送りベルト８ｃの苗送り量が自動的に大側に変更され、植付機構２の苗取り量を少側に変更すると、縦送りベルト８ｃの苗送り量が自動的に小側に変更されるように構成している。従って、この構造では苗取り量調節レバー１５を、縦送りベルト８ｃの苗送り量の調節レバーに兼用する構成となっている。前述のように、縦送りベルト８ｃの苗送り量の調節レバーと苗取り量調節レバー１５とを兼用する構造に代えて、縦送りベルト８ｃの苗送り量の変更専用の調節レバーを備える構成としてもよい。
　【００３２】
　尚、特許請求の範囲の項に図面との対照を容易にするために符号を記すが、該記入により本発明は添付図面の構成に限定されるものではない。
【図面の簡単な説明】
　【図１】
　苗植付装置の全体側面図
　【図２】
　縦送り装置の側面図
　【図３】
　縦送り装置において、縦送りベルトの苗送り量の変更の構造を示す正面図
　【図４】
　苗植付装置の平面図
　【符号の説明】
　１　　　　苗のせ台
　２　　　　植付機構
　１４　　　支持部材
　１６　　　苗取り量変更部、支持軸
　１７　　　苗取り量変更部、支持アーム
　１８　　　縦送り装置
　１８ｃ　　縦送り装置の苗送りベルト
　２９　　　ワイヤ
　２９ａ　　ワイヤのインナーワイヤ
　２９ｂ　　ワイヤのアウターワイヤ
　３０　　　アーム部
　３１　　　苗のせ台の固定部